(57)【特許請求の範囲】
【請求項１】
可動フレーム（２）と、前記フレームの後部（２'）と、前記フレームの前記後部における供給ホッパーと、前記供給ホッパーを形成するウイング６，７の間の下に設けられるフィーダと、前記フレームに取り付けられたサイドコンベア（４）とを備え、処理対象物を前記フレームの前記後部を通じて受け入れるように構成される、鉱物材料処理用の可動式処理装置（１）であって、
前記サイドコンベアの始端部は前記フィーダの下に位置し、
前記フレーム（２）の前記後部（２'）は後方に高く上向きに傾斜して開いており、
前記可動式処理装置はさらに、
前記可動式処理装置によって処理物が更なる処理にかけられないように、前記処理物をガイド（１１）を介して前記サイドコンベア上に落下させるべく、前記処理物を前記フィーダを通じて案内するように構成され、
前記サイドコンベア（４）と前記フレーム（２）との間に取り付けられた、前記サイドコンベア用の枢動継手（１３）を備え、
前記サイドコンベアは、前記処理装置の少なくとも一方の側の１つ以上の稼働位置に、および前記フレームの前記後部の下の輸送位置に、前記枢動継手を中心として水平に枢動可能であることを特徴とする、可動式処理装置（１）。
【請求項２】
前記サイドコンベア（４）は、前記処理装置の輸送幅を超えないように、前記フレーム（２）の少なくとも一方の側から前記フレームの方向の前記輸送位置に枢動可能であることを特徴とする、請求項１に記載の可動式処理装置。
【請求項３】
前記サイドコンベア（４）は、前記フレーム（２）の第１の側と、前記フレームの第２の側と、前記第１の側と前記第２の側との間の枢動範囲（４'）内の複数の稼働位置とに、枢動可能であることを特徴とする、請求項１または２に記載の可動式処理装置。
【請求項４】
前記サイドコンベア（４）の前記水平枢動範囲（４'）は１８０度であることを特徴とする、請求項１乃至３の何れか一項に記載の可動式処理装置。
【請求項５】
前記枢動継手（１３）は、前記フレーム（２）に取り付けられる底部（１４）と、前記底部に軸受支持される上部（１５）とを備え、前記サイドコンベアは前記上部に取り付けられることを特徴とする、請求項１乃至４の何れか一項に記載の可動式処理装置。
【請求項６】
前記枢動継手の前記底部（１４）は筐体を備え、前記上部（１５）は前記筐体に滑り軸受支持される軸を備えることを特徴とする、請求項５に記載の可動式処理装置。
【請求項７】
前記枢動継手（１３）の前記上部（１５）は上方に傾斜した載置台（１７）を前記サイドコンベア（４）用に備えることを特徴とする、請求項５または６に記載の可動式処理装置。
【請求項８】
前記サイドコンベア（４）は、複数の直線形材で組み立てられたサイドコンベアフレームを備えることを特徴とする、請求項１乃至７の何れか一項に記載の可動式処理装置。
【請求項９】
前記サイドコンベア（４）の前記水平枢動方向における係止は、前記枢動継手（１３）の前記底部（１４）と前記上部（１５）との間に配置された係止ピン（１８）または係止ラッチによってもたらされ、前記係止ピンまたは係止ラッチは係止位置に固定可能であり、さらに前記係止位置から解放可能であることを特徴とする、請求項１乃至８の何れか一項に記載の可動式処理装置。
【請求項１０】
前記処理装置（１）は、前記フレーム（２）の後部（２'）と前記サイドコンベア（４）の排出端との間に配置された係止装置（１９、２０、２１）を具備することを特徴とする、請求項１乃至９の何れか一項に記載の可動式処理装置。
【発明の詳細な説明】
【技術分野】
【０００１】
本発明は、鉱物材料の処理に適した可動式処理装置に関する。特に、本発明は、鉱物材料の破砕、予選別、選別、および／またはさらなる搬送に適した、サイドコンベア装置を備える可動式処理装置に関するが、これだけに限定されるものではない。
【発明の背景】
【０００２】
破砕される岩石は、爆破または掘削によって大地から得られる。岩石は、天然の岩石および砂礫であっても、建設廃棄物であってもよい。材料の処理（例えば破砕）には、移動式処理装置（例えば破砕装置）と定置式破砕アプリケーションとが用いられる。例えば、掘削機または車輪付き装入機が処理対象の材料を破砕機の供給ホッパーに装入すると、そこから処理対象の材料はフィーダに行き着き、岩石材料は例えば破砕機のジョーに供給される、すなわちフィーダが岩石材料を破砕機に向けて移動させる。望ましい材料、例えば微細材料、の場合は、この材料がさらなる処理、例えば破砕、にかけられないように、フィーダを介してサイドコンベアに導くことができる。サイドコンベアの通常の位置はフィーダの下であり、ここは選別された材料が落下しうる場所である。さらなる処理を飛び越して導かれる材料は、サイドコンベアによって処理装置の脇へ搬送され、例えば堆積される。
【０００３】
可動式破砕装置においては、例えば、サイドコンベアは、輸送中、破砕装置の幅を広げる障害物となるので、少なくとも道路通行時は、サイドコンベアの稼働姿勢より狭いスペースに配置する必要がある。通常、サイドコンベアは、輸送時は、機械の一方の側に、例えば油圧によって、上向きに鉛直姿勢に折り畳まれる。この場合のコンベアは、例えば、コンベアベルトの一領域において折り畳み可能なモデルである。別の選択肢は、サイドコンベアの分解輸送である。
【０００４】
サイドコンベアの排出方向を機械の別の側に変えたい場合は、例えばサイドコンベアのボルト取付け部を解放してサイドコンベアを複数の固定箇所から完全に解放し、その後にボルト取付け部を固定する。複数の油圧ホースを取り外し、サイドコンベアを機械の側板の開口部から持ち上げ、機械のもう一方の側に運び、再び取り付ける。今日の機械における一代替案は、サイドコンベアの偏倚（sidedness）を変更不能にすることである。
【０００５】
破砕装置の側面での折り畳みが可能なサイドコンベアの構造には、破砕装置の一側面へのサイドコンベアの配置を可能にする複数の油圧シリンダと複数の継手とが用いられている。この構造は、複雑かつ高価であり、故障しやすい。サイドコンベアの分解輸送および排出側の変更はどちらも時間がかかる。吊上げ装置と十分に吊上げるための補助具とが現場に必要である。吊上げ作業は安全上のリスクであり、数人の操作者を必要とする。複数の油圧ホースおよび複数の電気ケーブルを別個に移送する場合、および排出側を変える場合は、どちらの場合も、これら油圧ホースおよび電気ケーブルの取り外しが必要であり、これは作業員と環境とに対する安全上のリスクである。
【０００６】
本発明の目的は、公知のサイドコンベアに関連する問題を回避または少なくとも低減可能な、鉱物材料用の可動式処理装置を提供することである。
【摘要】
【０００７】
本発明によると、可動フレームと、このフレームに取り付けられたサイドコンベアとを備える、鉱物材料処理用の可動式処理装置が提供される。本可動式処理装置は、サイドコンベアとフレームとの間に取り付けられた、サイドコンベア用の枢動継手を備え、サイドコンベアは本処理装置の少なくとも一方の側の１つ以上の稼働位置と輸送位置とに枢動継手を中心として水平に枢動可能である。
【０００８】
好ましくはサイドコンベアは、本処理装置の輸送幅を超えないように、フレームの少なくとも一方の側からフレームと同じ向きの輸送位置に枢動可能である。
【０００９】
この輸送幅は、特別な輸送許可なしに道路交通で輸送される車両の輸送幅であることが好ましい。通常、可動式処理装置は、その最大幅の箇所（例えば、フレーム、無限軌道、または車輪）がこの輸送幅内に収まるように寸法設計される。
【００１０】
好ましくはサイドコンベアは、フレームの第１の側と、フレームの第２の側と、第１の側と第２の側との間の枢動範囲内の複数の稼働位置とに枢動可能である。
【００１１】
好ましくはサイドコンベアの水平枢動範囲は１８０度である。
【００１２】
好ましくは枢動継手は、フレームに取り付けられる底部とこの底部に軸受支持される上部とを備え、サイドコンベアは上部に取り付けられる。好ましくは枢動継手の底部は筐体を備え、上部は筐体に滑り軸受支持される軸を備える。好ましくは底部の筐体と上部の軸との間に滑り軸受用ブッシュが配置され、滑り軸受用ブッシュの複数の外側摺動面によって画成される滑り軸受用ブッシュの第１の対称軸と滑り軸受用ブッシュの複数の内側摺動面によって画成される滑り軸受用ブッシュの第２の対称軸とは互いに対して斜めの位置にあり、滑り軸受用ブッシュは枢動継手の外側から枢動可能である。
【００１３】
好ましくは枢動継手の上部は、上方に傾斜した載置台をサイドコンベア用に備える。
【００１４】
好ましくはサイドコンベアは、複数の直線形材で組み立てられたサイドコンベアフレームを備える。
【００１５】
好ましくはサイドコンベアの輸送位置は処理装置のフレームの下である。
【００１６】
水平枢動方向におけるサイドコンベアの係止は、枢動継手の底部と上部との間に配置された係止ピンまたは係止ラッチによってもたらされうる。この係止ピンまたは係止ラッチは係止位置に固定可能であり、さらには係止位置から解放可能である。
【００１７】
本処理装置は、フレームの後部とサイドコンベアの排出端との間に配置される係止装置を備えうる。
【００１８】
サイドコンベアは、枢動継手を中心としてさまざまな位置に手動で枢動可能である。所望であれば、処理装置の第１の側から第２の側までの１８０度の枢動範囲内であれば、サイドコンベアを何れの稼働方向にも向けることができる。サイドコンベアは、処理装置の両側の複数の稼働位置に枢動可能である。サイドコンベアは、簡単な方法で、例えば枢動継手と連係配置された係止ピンまたは係止ラッチによって、一稼働位置に機械的に係止可能である。操作者は、サイドコンベアの枢動および枢動位置でのサイドコンベアの係止を、吊上げ補助具なしに、素早く安全に行いうる。
【００１９】
サイドコンベアは、処理装置のフレームの方向の輸送位置に枢動可能である。サイドコンベアは、処理装置のフレームの下の輸送位置に枢動可能である。輸送位置において、サイドコンベアは、枢動された向きに機械的に、例えば枢動継手と連係配置された係止ピンによって、係止可能である。加えて、または代わりに（例えば、本処理装置が道路交通で輸送される場合）、操作者はサイドコンベアを処理装置のフレームに係止できる。好適な一方法は、処理装置のフレームに配置された供給ホッパーのリアウイングによってサイドコンベアを係止することである。サイドコンベアは、例えばその排出端が、供給ホッパーのリアウイングによって、または処理装置のフレームに設けられた別の係止装置によって、処理装置のフレームに取り付けられてもよい。
【００２０】
この枢動可能なサイドコンベアは、公知の解決手段に比べ、機能的により良好で、より安価で、より安全である。サイドコンベアを枢動させる解決手段は、筋力によって扱える単純な機械的構造である。油圧アクチュエータなしにサイドコンベアをさまざまな位置に枢動でき、かつ輸送状態にできることは、特別な利点として見ることができる。サイドコンベアの無端ベルトなどの搬送ベースを動かす複数の油圧工学ホースは結合されたままでよい。電気ケーブルを取り外す必要もない。排出側を変えるために、または輸送用に輸送状態にするために、サイドコンベアを処理装置から取り外す必要はない。サイドコンベアの枢動または輸送のために吊上げ装置または他の工具は一切不要である。サイドコンベアの排出側を変更することも、サイドコンベアを輸送状態にすることも、一人の操作者が素早く行うことができる。吊上げ作業および油圧ホースの取り外しが不要であるので、安全性を向上できる。公知のサイドコンベアの解決手段によっては、輸送状態にするためにコンベアベルトの締付けおよび位置付けが必要であるが、これらの作業は本発明による解決手段では回避されうる。
【００２１】
サイドコンベアをその稼働位置から一時的に枢動させ、その後にその稼働位置に戻すこともできる。車輪付き装入機を用いて材料をできるだけ効率的に除去したい場合は、サイドコンベアを、例えば堆積方向から外れた位置に、枢動させうる。
【００２２】
また、本処理装置の使用中、サイドコンベアを稼働させたくない場合は、サイドコンベアをその稼働位置から枢動させて保護状態に置くこともできる。さらに、輸送中サイドコンベアは可動式処理装置の周囲または作業現場においてスペースを塞がない。
【００２３】
本発明のさまざまな実施形態を、本発明の１つの態様またはいくつかの態様との組み合わせにおいてのみ説明してきた。または以下に説明する。当業者であれば理解するであろうが、本発明の１つの態様の何れの実施形態も、本発明の同じ態様および他の複数の態様に単独で、または他の複数の実施形態との組み合わせとして適用されうる。
【００２４】
次に添付図面を参照しながら、本発明を例として説明する。
【図面の簡単な説明】
【００２５】
【図１】可動式鉱物材料処理装置の一方の側から別の側に枢動可能なサイドコンベアを備える、好適な一実施形態による可動式鉱物材料処理装置を示す。
【図２】図１の矢印Ａの方向から見た図１の処理装置の背面と本処理装置の一方の側に枢動されたサイドコンベアとを示す。
【図３】図１の処理装置の側面と後方に枢動されて本処理装置のフレームの下にあるサイドコンベアとを示す。
【図４】図１の処理装置のサイドコンベアの枢動領域を示す。
【図５】好適な一実施形態によるサイドコンベアの枢動継手を示す。
【詳細な説明】
【００２６】
以下の説明において、同じ参照符号は同じ要素を示す。当然のことながら、示されている各図面は同じ縮尺ではなく、各図面は主に本発明の複数の実施形態を説明するためのものである。
【００２７】
図１乃至４は、フレーム２を備える可動式鉱物材料処理装置１を示す。本処理装置は、このフレームに取り付けられた、本処理装置を移動させるための複数の無限軌道３と、本処理装置のある側から別の側に枢動可能なサイドコンベア４とを備える。本処理装置は、例えば、鉱物材料の選別、搬送、および／または破砕用の手段（図示せず）を具備可能である。破砕手段は、例えば、コーンクラッシャー、ジャイレートリークラッシャー、またはインパクトクラッシャーを備えうる。
【００２８】
可動式すなわち移動式処理装置は、複数の車輪、複数のスキッド、または複数の脚に乗せて移動可能であってもよい。本処理装置を移動するための一代替案は、車両によって牽引可能な車輪付きベースとして本処理装置のフレームを形成することである。
【００２９】
図１には、供給ホッパー５がフレーム２の後部２'に配置されており、処理対象の材料は供給ホッパー５を通って本処理装置に受け入れられる。供給ホッパーを形成するウイング６、７、および８は、稼働位置から折り畳み可能である。供給ホッパーのウイング間の下にはフィーダ（図示せず）が配置され、供給ホッパーに装入された材料はこのフィーダによって供給ホッパーの開いた前部９を通って前方に供給される。供給ホッパーは第１のサイドウイング６と、リアウイング７と、第２のサイドウイング８とを備え、ウイング６、７、および８はそれぞれ支持体１０を介してフレーム２に取り付けられている。各支持体１０は、例えば輸送および保管中にサイドウイングとリアウイングとを下側に折り畳んで処理装置１の側面に位置付けるための枢動継手１０'を具備する。供給ホッパー５の、油圧アクチュエータを具備したウイング６、７、および８を折り畳むと、処理対象材料のフィーダをフレーム２に搭載可能である。供給ホッパーの各ウイングを稼働位置に折り上げることによって、フィーダを稼働姿勢にすることができる。フィーダに隣接するフレームには、鉱物材料の選別、搬送、および／または破砕手段を配置できる。
【００３０】
望ましい材料、例えば微細材料、の場合は、この材料がさらなる処理にかけられないように、材料ガイド１１経由でサイドコンベア４のベルト１２または対応する無端搬送ベースに落下するべく、フィーダを介して、またはフィーダを通して、導くことができる。サイドコンベア４の始端部は、フィーダの下に配置されることが好ましい。
【００３１】
サイドコンベア４は、処理装置１の一方の側から別の側に枢動可能である。サイドコンベアをフレーム２に取り付けるためのサイドコンベア用枢動継手１３が処理装置１に設けられる。必要であれば、サイドコンベアは、枢動継手を中心としてさまざまな位置に手動で枢動可能である。必要であれば、サイドコンベアを処理装置の第１の側から第２の側までの１８０度の枢動範囲４'内の何れの方向にも向けることができる（図４）。サイドコンベアは、枢動範囲４'内の複数の稼働位置と輸送位置との間で枢動可能である。
【００３２】
最も単純な場合、サイドコンベアは処理装置の一方の側の一稼働位置に枢動可能である。好ましくは、サイドコンベアは処理装置の両側の複数の稼働位置に枢動可能である。サイドコンベアは、枢動範囲４'内であれば何れの方向の稼働位置にも配置可能である。
【００３３】
図５は、底部１４と上部１５とを備える枢動継手１３を示す。底部と上部とは共に枢動継手を形成し、底部はその内部で上部の軸状部が滑り軸受に支持される筐体として機能することが好ましい。継手の手動枢動を可能にするために適した潤滑と必要数の軸受部材とが筐体内に配置される。好ましくは複数の潤滑ニップルが筐体の側に配置される。底部の筐体と上部の軸との間にプラスチック製軸受スリーブを配置しうる。
【００３４】
一部の実施形態によると、枢動力をサイドコンベアに直接加える代わりに、またはこれに加えて、サイドコンベアの手動枢動をより容易にできる。滑り軸受用ブッシュを底部の筐体と上部の軸との間に配置できる。滑り軸受用ブッシュの複数の外側摺動面によって画成される滑り軸受用ブッシュの第１の対称軸と滑り軸受用ブッシュの複数の内側摺動面によって画成される滑り軸受用ブッシュの第２の対称軸とは互いに対して斜めの位置にあり、滑り軸受用ブッシュは枢動継手の外側から枢動可能である。鉛直方向に対して傾斜した枢動軸を備える、このような滑り軸受用ブッシュに操作者のための枢動レバーを設けることができる。
【００３５】
枢動継手の底部１４は、この底部をフレーム２に、例えばフレームのリアビームに、取り付けるための締結部材１６を備える。締結部材１６は、溶接によって処理装置のフレームに取り付けられる板構造を有する片持ち梁であることが好ましい。枢動継手の上部１５は、サイドコンベア４が取り付けられる載置台１７を備える。処理装置の支持面（地表面）に対する載置台１７の載置面の傾斜は、複数の直線形材で製造されたサイドコンベアのフレーム構造が載置台に簡便に取り付けられるように、選択されることが好ましい。これにより、製造および組み付けられる固着用部品の点数を減らし、サイドコンベアの製造コストを節約できる。
【００３６】
サイドコンベア４は、その枢動方向の１つ以上の稼働位置に係止可能であり、必要であれば輸送位置にも係止可能である。稼働位置の係止は、例えば、枢動継手１３に連係配置された係止ピン１８によって実現される。複数の係止位置において、係止ピン１８は、枢動継手の上部１５と底部１４とに形成されて一緒に機能する、係止ピン用の複数の穴または対応する係止形態に貫通する。操作者は、サイドコンベアをさまざまな位置に、吊上げ装置を使わずに、素早くかつ安全に枢動および係止できる。
【００３７】
サイドコンベア４の輸送位置が図４に示されている。この図において、サイドコンベアは処理装置１と同じ向きに枢動されている。好ましくは、輸送位置において、サイドコンベア４は処理装置のフレーム２の下にある。したがって、サイドコンベアが輸送位置にあるとき、処理装置の外形寸法は少なくとも実質的に増加しない。処理装置を輸送姿勢にしたときに処理装置の幅を必ずしも広げる必要はなく、処理装置の長さの最小限の延長は広幅化ほど不都合ではない。当然、サイドコンベアは、処理装置の向き（後方）にも排出するように構成可能である。輸送位置において、サイドコンベアをその枢動された向きに係止ピン１８によって機械的に係止可能であるが、他の係止方法も使用可能である。
【００３８】
図３は、輸送位置にあるサイドコンベア４を所定位置に保持するための代替係止装置を示す。有利な一方法は、サイドコンベアを処理装置のフレームに係止することである。この場合、フレームはサイドコンベアの自由端の一部を支えるが、全ての実施形態においてそうする必要があるとは限らない。サイドコンベアは、例えば、フレームの後部２'に取り付けられた、供給ホッパーのリアウイング７によって、処理装置のフレームに係止可能である。処理装置の高さが輸送時に高すぎないように、リアウイング７は下向きに枢動されて輸送位置に位置付けられる。リアウイングの方向に枢動されたサイドコンベア４は、リアウイング７に配置された適切な係止部材１９（例えば、フック）によって係止可能である。リアウイングが下向き姿勢のときにサイドコンベア４が輸送位置に係止されるように、係止用の形状２０をリアウイングに形成可能である。サイドコンベアがフレームと同じ向きに枢動されたときにサイドコンベアの上方に延在するフレームの後部２'とサイドコンベアとの間に、脱着可能な締結部材２１（例えば、ねじ棒、リギングスクリュー、チェーン）を配置可能である。
【００３９】
フレーム２の後部２'の設計、並びにサイドコンベア１４を枢動可能にする枢動継手１３と適した形状の後部２'との組み合わせは、サイドコンベアの自由枢動性において重要な役割を担っている。処理装置１を側面図で見ると、無限軌道３に隣接した後部２'は、後方に高く上向きに傾斜して開いている。本処理装置のフレームの側面には、後方に（無限軌道に隣接して）水平に向かう、公知のフレームの水平ビームがない。脱着可能な公知のサイドコンベアは、これら水平ビームによって形成された、これら水平ビームの上方の開口部を通して、フレームの内側、フィーダの下に取り付けられている。したがって、フレーム２を安価に製造できるようになった。一部の実施形態においては、平面図で見ると、後方に向けられたサイドコンベアをフレームの突出部が覆っている。さらに、フレーム２は、サイドコンベアを一方の側から別の側に、および後方に、枢動させるために十分な高さを有する自由空間を後部２'の下にもたらす。同時に、フレームは、フィーダをフレームの後部２'に、別個の補助フレームなしに、直接取り付けるために適した高さを有する。これはさらに、本処理装置の構造による解決策の費用効率を高める。
【００４０】
上記説明は、本発明の一部の実施形態の非限定的な例を提供するものである。本発明は記載の詳細事項に限定されず、本発明は他の同等の手段で実装可能であることは当業者には明らかである。上で開示した複数の実施形態の特徴のいくつかは他の特徴を使用せずに都合よく使用されうる。
【００４１】
したがって、上記説明は本発明の原理を単に説明するものであり、本発明を限定するものとは見なされないものである。故に、本発明の範囲は添付の特許請求の範囲によってのみ限定される。
【図１】
0005822954.tif 000002
【図２】
0005822954.tif 000003
【図３】
0005822954.tif 000004
【図４】
0005822954.tif 000005
【図５】
0005822954.tif 000006